(57)【要約】【課題】睡眠時に体全体の筋肉や神経の緊張を緩めることができ、良好な睡眠を得ることができる枕を提供する。【解決手段】後頭部の左右両側を支持する一対の頭部支持部２，２と、一対の頭部支持部２，２の下部を直線状に繋ぎ、第１頸椎を支持する上部頸椎支持部３とを備えたＵ字状の枕本体４に、第７頸椎から第２胸椎までの間の一部を支持する補助枕５を、紐部材６を介して着脱可能に連結する。上部頸椎支持部３の高さを調整可能とする。【選択図】図１
2018042776.tif 000002
【特許請求の範囲】
【請求項１】
後頭部の左右両側を支持する一対の頭部支持部と、該一対の頭部支持部の下部を繋ぎ、第１頸椎を支持する上部頸椎支持部とを備えたＵ字状の枕本体に、第７頸椎から第２胸椎までの間の一部を支持する補助枕を、連結部材を介して連結したことを特徴とする枕。
【請求項２】
前記上部頸椎支持部の高さが調整可能であることを特徴とする請求項１記載の枕。
【請求項３】
前記連結部材は紐部材で形成され、長さの調整が可能であることを特徴とする請求項１又は２記載の枕。
【発明の詳細な説明】
【技術分野】
【０００１】
本発明は、枕に関し、詳しくは、睡眠中に気道が狭められることを防止し、良好な睡眠を得ることができる枕に関する。
【背景技術】
【０００２】
従来、睡眠時の姿勢を良好に保持する枕として、後頭部を載せる頭部支持部と、首に密着して頸椎を支持する頸椎支持部とを備えたものがあった（例えば、特許文献１及び２参照。）。
【先行技術文献】
【特許文献】
【０００３】
【特許文献１】特許第５７００２６５号公報
【特許文献２】特許第２８４１１７９号公報
【発明の概要】
【発明が解決しようとする課題】
【０００４】
睡眠時には、気道を確保し、良好な呼吸を保ちながら、睡眠が深まるにつれて筋肉が緩んで疲れを取ることが望まれているが、上述の特許文献１及び２の枕では、頸椎支持部が首に密着することから、呼吸による首の筋肉の動きや、睡眠が深まるにつれて首の筋肉が緩むことを頸椎支持部が阻害する虞があった。
【０００５】
このため、呼吸による首の筋肉の動きや筋肉の弛みを許容して睡眠時の気道を確保し、良好な睡眠を得ることができる枕が求められている。
【課題を解決するための手段】
【０００６】
ところが、本発明者は、第１頸椎と第７頸椎付近との２点で首又は背中を支えることにより、使用者の首又は背中の力が抜け、体全体の筋肉や神経の緊張が緩むという知見を得た。本発明は、この知見に基づき、更に検討を重ねて完成されたものであり、次の枕を提供するものである。
【０００７】
本発明の枕は、後頭部の左右両側を支持する一対の頭部支持部と、該一対の頭部支持部の下部を繋ぎ、第１頸椎を支持する上部頸椎支持部とを備えたＵ字状の枕本体に、第７頸椎から第２胸椎までの間の一部を支持する補助枕を、連結部材を介して連結したことを特徴としている。
【０００８】
また、前記上部頸椎支持部の高さが調整可能であると好適である。さらに、前記連結部材は紐部材で形成され、長さの調整が可能であると好ましい。
【発明の効果】
【０００９】
本発明の枕によれば、後頭部の左右両側を頭部支持部に支持させ、該頭部支持部と上部頸椎支持部とに囲まれた空間部に後頭部の中央を収めることができることから、睡眠時の後頭部の動きを許容しながら、後頭部を良好に支持することができる。また、睡眠時に、上部頸椎支持部によって第１頸椎が、補助枕によって第７頸椎から第２胸椎までの間の一部がそれぞれ支持されることから、首を安定した状態で支持することができるとともに、上部頸椎支持部と補助枕と首との間には空間部が形成され、呼吸による首の筋肉の動きや、睡眠が深まるにつれて首の筋肉が緩むことを許容できる。さらに、第１頸椎と第７頸椎付近との２点で首又は背中を支えることにより、睡眠中に使用者の首又は背中の力が抜け、体全体の筋肉や神経の緊張が緩み、良好な睡眠を得ることができる。
【００１０】
また、上部頸椎支持部の高さを調整可能としたことにより、個人の首の形状に応じて、上部頸椎支持部の高さを最適な高さにすることができる。さらに、連結部材を紐部材で形成し、長さの調整ができるようにしたことにより、使用者が枕本体に頭を載せた際に、補助枕を最適な位置に配置できるとともに、個人の睡眠時の姿勢に応じて、最適な位置に補助枕を配置させることができる。
【図面の簡単な説明】
【００１１】
【図１】本発明の一形態例を示す枕の平面図である。
【図２】同じく枕の斜視図である。
【図３】同じく使用状態を示す枕の説明図である。
【発明を実施するための形態】
【００１２】
図１乃至図３は本発明の枕の一形態例を示す図で、本形態例の枕１は、後頭部の左右両側を支持する一対の頭部支持部２，２と、該頭部支持部２，２の下部を直線状に繋ぎ、第１頸椎を支持する上部頸椎支持部３とを備えたＵ字状の枕本体４に、第７頸椎から第２胸椎までの一部を支持する補助枕５が紐部材６（本発明の連結部材）を介して連結されている。
【００１３】
枕本体４は、天竺木綿や綿ブロード等で形成された一対の布２ａ，２ａを縫製して袋状に形成し、内部に充填材を充填することにより立体的に形成される。枕本体４を構成する各布２ａは、長方形に裁断された布の幅方向中央の上部に、切欠き部２ｂを設けてＵ字状に形成され、前記上部頸椎支持部３は略四角形状に形成されるとともに、該上部頸椎支持部３と頭部支持部２，２とは、枕本体４の幅方向の中心線ＣＬ１に対して対称に形成されている。
【００１４】
頭部支持部２，２の外側部にはチャック７，７が、上部頸椎支持部３の下側部にはチャック８がそれぞれ設けられる。チャック７，７を介して、頭部支持部２，２の内部には、ウレタン，パンヤ，中空ビーズ，そばがら等の充填材がそれぞれ充填され、頭部支持部２，２が適宜な高さに形成される。さらに、チャック８を介して、上部頸椎支持部３の内部には、頭部支持部２，２と同様の充填材を充填した袋９が収容される。本形態例では、充填材の充填量や充填する材料が異なる複数の袋９が用意され、使用者の骨格や好みに応じて、収容する袋９を適宜選択し、上部頸椎支持部３の高さや硬さを最適な状態に調整する。
【００１５】
補助枕５は、枕本体４と同様に、天竺木綿や綿ブロード等で形成された一対の布５ａ，５ａを縫製して袋状に形成し、内部に充填材を充填することにより立体的に形成される。補助枕５を構成する一対の布５ａ，５ａは円形に形成され、内部に上部頸椎支持部３と同様の充填材が充填される。補助枕５は、前記紐部材６によって、前記中心線ＣＬ１上に連結され、補助枕５の中心部近傍が第７頸椎から第２胸椎までの一部を支持する。紐部材６は、長さ調整が可能な布製の１本の紐で形成され、枕本体４に対して着脱可能に連結されている。
【００１６】
上述の枕１を使用する際には、使用者の後頭部の左右両側を頭部支持部２，２に支持させ、頭部支持部２，２と上部頸椎支持部３とに囲まれた空間部Ｅ１に後頭部の中央を収めることができることから、睡眠時の後頭部の動きを許容しながら、後頭部を良好に支持することができる。また、睡眠時に、上部頸椎支持部３によって第１頸椎が、補助枕５によって第７頸椎から第２胸椎までの一部がそれぞれ支持されることから、首を安定した状態で支持することができるとともに、上部頸椎支持部３と補助枕５と使用者の首との間には空間部Ｅ２が形成され、呼吸による首の筋肉の動きや、睡眠が深まるにつれて首の筋肉が緩むことを許容できる。これにより、睡眠時に気道が確保され楽に呼吸を行うことができることから、良好な睡眠を得ることができる。さらに、枕１によって、第１頸椎と第７頸椎付近との２点で首又は背中が支えられることにより、睡眠中に使用者の首又は背中の力が抜け、体全体の筋肉や神経の緊張が緩み、良好な睡眠を得ることができる。
【００１７】
また、上部頸椎支持部３の高さを調整可能としたことにより、個人の首の形状に応じて、上部頸椎支持部３の高さを最適な高さにすることができる。また、通常の姿勢を有する使用者の場合では、第７頸椎付近に補助枕を位置させることが好ましく、猫背などの歪みのある姿勢を有する使用者の場合では、胸椎の上部側に補助枕を位置させることが好ましいが、本形態例では、紐部材６の長さが調整可能であることから、適切な位置に補助枕を確実に配置させることができる。さらに、紐部材６は、枕本体４に対して着脱可能に連結されていることから、紐部材６と補助枕５とを枕本体４から取り外し、枕本体４のみで枕１を使用することもできる。
【００１８】
なお、本発明の補助枕は、上述の形態例のように円形に形成されるものに限らず、枕本体の幅方向に長い楕円形状や四角形状に形成されていてもよく、上部頸椎支持部と同様にチャックを設け、充填材を充填した袋を交換可能に収容することで、補助枕の高さを最適な状態に調整することができるものでもよい。また、本発明の連結部材は、布製の１本の紐で形成されるものに限らず、材質は任意であり、補助枕の大きさに応じて設けられる位置や本数も任意である。さらに、本発明は、空気を充填材とした空気枕とすることも可能で、枕使用時のみ空気を充填し、不使用時には空気を抜くことができるように形成することにより、携帯に適した空気枕とすることもできる。
【符号の説明】
【００１９】
１…枕、２…頭部支持部、２ａ…布、２ｂ…切欠き部、３…上部頸椎支持部、４…枕本体、５…補助枕、５ａ…布、６…紐部材、７，８…チャック、９…袋
【図１】
2018042776.tif 000003
【図２】
2018042776.tif 000004
【図３】
2018042776.tif 000005